(57)【要約】  ペン芯（１）とペン本体を備えるパッシブ電磁インクペンであって、ペン本体は第一鉄心（２）と鉄心収容部とを備え、前記鉄心収容部には前から後ろへ順にペン芯ホルダーリンクロッド（３）、第二鉄心（４）、第三鉄心（５）、弾性部材、圧力調節板（９）及び前記圧力調節板（９）と互いに嵌合される第一構造（６２）とが設けられ、第一鉄心（２）の外及び第二鉄心（４）の外には何れもコイルが巻かれており、第一鉄心（２）がペン芯（１）のペン先側に近く、第二鉄心（４）が鉄心収容部と固定的に接続され、ペン芯（１）が第一鉄心（２）の中央を通ってペン芯ホルダーリンクロッド（３）の一端により挟持され、ペン芯ホルダーリンクロッド（３）の他端が第二鉄心（４）の中央を通って第三鉄心（５）を押し進めるように設けられ、圧力調節板（９）は、回転する時に表面と第一構造（６２）の表面との接触により圧力調節板（９）に軸方向の変位を発生させることで、弾性部材の軸方向変位を変える。該パッシブ電磁インクペンは、可変インダクタンス技術を採用し、価格が低く、性能が優れ、圧力調節板と第一構造を増設し、寸法一致性と重量感の一致性がよく、情報入力機器の分野に広く応用できる。【選択図】図３
2021530064.tif 000002
【特許請求の範囲】
【請求項１】
ペン芯と、ペン本体とを備え、前記ペン本体は第一鉄心と、鉄心収容部とを備え、前記鉄心収容部には前から後ろへ順にペン芯ホルダーリンクロッドと、第二鉄心と、第三鉄心と、弾性部材と、圧力調節板と、前記圧力調節板と互いに嵌合される第一構造とが設けられており、前記第一鉄心の外及び前記第二鉄心の外には何れもコイルが巻かれており、前記第一鉄心が前記ペン芯のペン先側に近く、前記第二鉄心が前記鉄心収容部と固定的に接続され、前記ペン芯が前記第一鉄心の中央を通って前記ペン芯ホルダーリンクロッドの一端により挟持され、前記ペン芯ホルダーリンクロッドの他端が前記第二鉄心の中央を通ってさらに前記第三鉄心を押し進めるように設けられ、前記圧力調節板は、回転する時に表面と前記第一構造の表面との接触により前記圧力調節板に軸方向の変位を発生させることで、前記弾性部材の軸方向変位を変えることを特徴とするパッシブ電磁インクペン。
【請求項２】
前記ペン芯ホルダーリンクロッドには段差が設けられていることを特徴とする請求項１に記載のパッシブ電磁インクペン。
【請求項３】
前記圧力調節板の前記第一構造との接触面が第一斜面であり、前記第一構造の前記圧力調節板との接触面が第二斜面であることを特徴とする請求項１に記載のパッシブ電磁インクペン。
【請求項４】
前記弾性部材はシリコーンゴム棒と前記シリコーンゴム棒に外嵌されたばねとを備え、前記シリコーンゴム棒は前記圧力調節板と固定的に接続されていることを特徴とする請求項１に記載のパッシブ電磁インクペン。
【請求項５】
前記圧力調節板には前記シリコーンゴム棒と互いに嵌合される穴が設けられていることを特徴とする請求項４に記載のパッシブ電磁インクペン。
【請求項６】
前記圧力調節板には回転ハンドルが設けられていることを特徴とする請求項１〜５の何れか一項に記載のパッシブ電磁インクペン。
【請求項７】
前記第二鉄心の外径が前記第三鉄心の外径より小さいことを特徴とする請求項１〜５の何れか一項に記載のパッシブ電磁インクペン。
【請求項８】
前記第二鉄心の中央には第一貫通穴が開けられ、前記第三鉄心の中央には第二貫通穴が開けられており、前記第一貫通穴の直径が前記第二貫通穴の直径より大きいことを特徴とする請求項１〜５の何れか一項に記載のパッシブ電磁インクペン。
【請求項９】
前記鉄心収容部の外にはＰＣＢＡ電子回路基板が設けられていることを特徴とする請求項１〜５の何れか一項に記載のパッシブ電磁インクペン。
【請求項１０】
前記ＰＣＢＡ電子回路基板はねじにより前記鉄心収容部と接続されていることを特徴とする請求項９に記載のパッシブ電磁インクペン。
【発明の詳細な説明】
【技術分野】
【０００１】
本発明は情報入力機器の分野に関し、特にパッシブ電磁インクペンに関する。
【背景技術】
【０００２】
デジタル化電子情報技術の絶え間ない発展に伴い、ヒューマンマシンインタラクションはますます身近なものになってきている。電磁タッチは、オリジナル手書き入力を完璧に反映できることで、ますます人気を集めている。
【０００３】
電磁タッチの主なデバイスとして、アンテナ板、制御ボードと電磁ペンとを含む。電磁ペンは、電磁タッチの肝心な構成部として、クリックできるだけではなく、その筆圧を感知する特徴を利用して絵描き、習字などもできる。
【０００４】
電磁ペンはその内部の磁場閉回路及び電磁タッチ技術を応用した機器におけるアンテナ板で電磁波を伝搬させることで、電磁ペンの位置検出を実現する。電磁ペンの磁場閉回路は通常、インダクタンスとコンデンサーによって構成され、インダクタンスが鉄心とコイルで構成され、インダクタンス又はコンデンサーの値を調整することで、電磁ペンの周波数を変えることができる。
【０００５】
電磁入力技術は現在、タブレット、携帯電話、電子ペーパーブック、手書きタブレット、電子ホワイトボードなどの電子機器に広く応用されているが、よく見かける電磁ペンは対応する電磁機器でしか作動できず、紙への書き込みができない。そのために、電磁筆記とインク筆記の機能を併せ持つ電磁インクペンが市場に現れた。
【０００６】
従来の電磁インクペンの多くは、可変静電容量技術によって実現されているが、可変静電容量では、可変コンデンサーの精度と価格に制限されており、性能、価格などの面において、電磁インクペンの普及が困難である。それに、電磁インクペンは複数の部品によって構成されて、各部品にはそれぞれ製造誤差があり、各部品はまた異なる材質であるため、組立生産時に寸法不一致の問題が発生することがよくあり、それによって電磁ペンの出荷時の実際の寸法が標準寸法より小さく或いは大きくなる問題を引き起こし、量産化は不利である。
【発明の概要】
【発明が解決しようとする課題】
【０００７】
上記技術問題を解決するために、本発明の目的は、安価で一致性の優れたパッシブ電磁インクペンを提供することにある。
【課題を解決するための手段】
【０００８】
本発明が採用する技術案は以下になる：パッシブ電磁インクペンは、ペン芯と、ペン本体とを備え、前記ペン本体は、第一鉄心と、鉄心収容部とを備え、前記鉄心収容部には前から後ろへ順にペン芯ホルダーリンクロッドと、第二鉄心と、第三鉄心と、弾性部材と、圧力調節板と、前記圧力調節板と互いに嵌合される第一構造とが設けられており、前記第一鉄心の外及び前記第二鉄心の外には何れもコイルが巻かれており、前記第一鉄心が前記ペン芯のペン先側に近く、前記第二鉄心が前記鉄心収容部と固定的に接続され、前記ペン芯が前記第一鉄心の中央を通って前記ペン芯ホルダーリンクロッドの一端により挟持され、前記ペン芯ホルダーリンクロッドの他端が前記第二鉄心の中央を通ってさらに前記第三鉄心を押し進めるように設けられ、前記圧力調節板は、回転する時に表面と前記第一構造の表面との接触により前記圧力調節板に軸方向の変位を発生させることで、前記弾性部材の軸方向変位を変える。
【０００９】
さらに、前記ペン芯ホルダーリンクロッドには段差が設けられている。
【００１０】
さらに、前記圧力調節板の前記第一構造との接触面が第一斜面であり、前記第一構造の前記圧力調節板との接触面が第二斜面である。
【００１１】
さらに、前記弾性部材はシリコーンゴム棒と前記シリコーンゴム棒に外嵌されたばねとを備え、前記シリコーンゴム棒は前記圧力調節板と固定的に接続されている。
【００１２】
さらに、前記圧力調節板には前記シリコーンゴム棒と互いに嵌合される穴が設けられている。
【００１３】
さらに、前記圧力調節板には回転ハンドルが設けられている。
【００１４】
さらに、前記第二鉄心の外径が前記第三鉄心の外径より小さい。
【００１５】
さらに、前記第二鉄心の中央には第一貫通穴が開けられ、前記第三鉄心の中央には第二貫通穴が開けられており、前記第一貫通穴の直径が前記第二貫通穴の直径より大きい。
【００１６】
さらに、前記鉄心収容部の外にはＰＣＢＡ電子回路基板が設けられている。
【００１７】
さらに、前記ＰＣＢＡ電子回路基板はねじにより前記鉄心収容部に接続されている。
【発明の効果】
【００１８】
本発明は、以下の有益な効果を有する：ペン本体は、鉄心収容部と、コイルが巻かれた第一鉄心とを備え、鉄心収容部はペン芯ホルダーリンクロッドと、第三鉄心と、コイルが巻かれた第二鉄心とを備え、ペン芯の移動とペン芯ホルダーリンクロッドを組み合わせて第二鉄心と第三鉄心との間の距離を変えることでパッシブ電磁インクペンのインダクタンスを変えて、さらにインクペンの周波数を変えて、可変静電容量技術の代わりに可変インダクタンス技術を採用し、価格がより低く、性能がより優れており、圧力調節板及び前記圧力調節板と互いに嵌合される第一構造を増設しており、圧力調節板は、回転する時に表面と第一構造の表面との接触により圧力調節板に軸方向の変位を発生させることで、弾性部材の軸方向変位を変えて、弾性部材の軸方向の変位により、パッシブ電磁インクペンの出荷時の実際の寸法を標準寸法と等しくして、各パッシブ電磁インクペンの書き込み重量感を一致に保つことを確保でき、量産化に有利である。
【図面の簡単な説明】
【００１９】
【図１】本発明のパッシブ電磁インクペンの構造模式図である。
【図２】本発明のパッシブ電磁インクペンの断面図である。
【図３】本発明のパッシブ電磁インクペンの一つの実施例の構造分解図である。
【図４】本発明のパッシブ電磁インクペンのもう一つの実施例の構造分解図である。
【図５】本発明における２つの鉄心の間隔とコイルのインダクタンス値との関係曲線図である。
【図６】本発明における圧力調節板とゴム棒との嵌合構造模式図である。
【図７】本発明における圧力調節板の断面図である。
【図８】本発明における第一構造の断面図である。
【発明を実施するための形態】
【００２０】
以下では、明細書の添付図面と具体的な実施例を組み合わせて本発明についてさらに解釈及び説明する。
【００２１】
図１、図２、図３と図４を参照すると、本発明のパッシブ電磁インクペンは、ペン芯１と、ペン本体とを備え、前記ペン本体は第一鉄心２と鉄心収容部とを備え、前記鉄心収容部には前から後ろへ順にペン芯ホルダーリンクロッド３と、第二鉄心４と、第三鉄心５と、弾性部材と、圧力調節板９と、前記圧力調節板９と互いに嵌合される第一構造６２とが設けられており、前記第一鉄心２の外及び第二鉄心４の外には何れもコイルが巻かれており、前記第一鉄心２がペン芯１のペン先側にあり、前記第二鉄心４が鉄心収容部と固定的に接続され、前記ペン芯１が第一鉄心２の中央を通ってペン芯ホルダーリンクロッド３の一端により挟持され、前記ペン芯ホルダーリンクロッド３の他端が第二鉄心４の中央を通ってさらに第三鉄心５を押し進めるように設けられ、前記圧力調節板９は、回転する時に表面と第一構造６２の表面との接触により圧力調節板９に軸方向の変位を発生させることで、弾性部材の軸方向変位を変える。
【００２２】
本発明では、三鉄心構造を利用してインダクタンスの変化を実現し、巻線のある鉄心である第一鉄心２はペン芯のペン先側に近く、エネルギーの送受信を担っている。一方、第二鉄心４が巻線のある鉄心で、第三鉄心５が巻線のない鉄心である。第二鉄心４中央の貫通穴は第三鉄心５中央の貫通穴より大きく、この２つの鉄心がペン芯の後方に置かれて、且つ第二鉄心４は第三鉄心５よりもペン芯のペン先により近くなっており、このような構造によれば、第三鉄心５の後方に、ペン先が優れたフォースフィードバック性能を持つように、内部の弾性部材を設計できる十分な空間を持たせることができる。
【００２３】
芯ホルダーリンクロッド３は、ペン芯１の挟持とリンクロッドの機能を有する。図３に示すように、ペン芯ホルダーリンクロッド３の一端はペン芯１を挟持でき、ペン芯ホルダーリンクロッド３の他端がリンクロッド機能を有する一本の細長いプラスチックロングロッドである。芯ホルダーリンクロッド３は、鉄心収容部のペン先方向から中に装着することが可能である。
【００２４】
ペン芯が力を受けた時に、ペン芯１が第一鉄心２の中央を通ってからペン芯ホルダーリンクロッド３の一端によって挟持され、ペン芯ホルダーリンクロッド３の他端が第二鉄心４の中央を通ってさらに第三鉄心５を押し進めて、第二鉄心４と第三鉄心５との２つの鉄心間の距離を変えて、インダクタンス値の変化を起こす。
【００２５】
図５に示すように、本発明によれば、第二鉄心４と第三鉄心５との２つの鉄心が密着した場合、２つの鉄心間のエアギャップが極めて小さく、鉄心がペン芯によって僅かに押し進められた時に、２つの鉄心間にエアギャップが形成され、この時、磁気回路（即ち磁場の閉回路）では磁気抵抗が増大し、インダクタンス値が大幅に低くなる。本発明はこの特性を利用し、ペン芯が僅かに動いた時にも、十分に大きなペン周波数変化を発生させることが可能である。インクペンに活用された使用場面では、電子筆跡は軽く描く時にも現れることができ、本物のインクペン、鉛筆の使用感覚と同じにすることができる。
【００２６】
ＰＣＢＡ電子回路基板上には固定静電容量値があり、第一鉄心２と第二鉄心４との２つの巻線のあるインダクタンスは、基板上のコンデンサーと並列にＰＣＢＡ電子回路基板に接続されている。最初に、アンテナ板が一つの周波数で発射してペンを充電し、アンテナ板の発射停止時、ペンがエネルギーを受け取る側から、エネルギーを発射する側に変わり、ペンの巻線のインダクタンスが変化し、ＰＣＢＡ電子回路基板上の固定コンデンサーと並列接続され、ペンが発射する周波数を変えて、さらにアンテナ板が異なるペン周波数を得られるようにして、異なる筆圧値変化を発生させる。
【００２７】
図１と図２に示すように、本発明の第一鉄心２、第二鉄心４と第三鉄心５の全てを中空構造とすることができるが、ペン芯１のペン先側が左、ペン後部端部が右にある。図３又は図４に示すように、鉄心収容部は互いに嵌合される鉄心収容部前部６１と鉄心収容部後部（即ち第一構造）６２とを備え、鉄心収容部後部６２は組立時に、回転するように鉄心収容部前部６１と結合されて、鉄心収容部を形成する。第二鉄心４は、図３に示すように、ペン後部方向から、完全に鉄心収容部の内部に取り付けて固定するか、或いは、図４に示すように、鉄心収容部上の凹溝６１１により鉄心収容部内に取り付けることが可能である。一方、第三鉄心５は第二鉄心４の後方にあり、鉄心収容部の内部に取り付けて、鉄心収容部の中で移動でき、ペン芯ホルダーリンクロッド３が第二鉄心４の中央を通ってから第三鉄心５を鉄心収容部内で押し進める。
【００２８】
圧力調節板９が回転時に第一構造６２との接触で軸方向変位を発生させる方式としては、斜面（両者の接触面が斜面である）の高さ変化により軸方向変位を発生させる方式とすることが可能である。
【００２９】
弾性部材は、ペン芯１に逆方向の作用力を提供して、ペン芯１で書き込みする時に書き込みの重量感を得るようにするための部材である。また、弾性部材はさらに、軸方向の変位によりパッシブ電磁ペンの出荷時の実際の寸法が標準寸法と等しくなるように、一定の弾性的遊びを提供する。弾性部材としては、ばね、ゴム棒（例えばシリコーンゴム棒）などの弾性を有する構造を採用してもよく、ばねとゴム棒などで構成された複合構造としてもよい。
【００３０】
本発明のペン芯１は、従来のインクペンのペン芯を用いて実現することができる。
【００３１】
具体的に、図１、図３又は図４に示すように、ペン本体は更にペン芯ロッド１２を備え、ペン芯ロッド１２が第一鉄心２とペン芯ホルダーリンクロッド３との間にあり、ペン芯１を保護できる。組み立てる時、まずはペン芯ホルダーリンクロッド３を鉄心収容部のペン先方向から中に取り付けて、ペン芯ホルダーリンクロッド３を中に取り付けてから、さらにペン芯ロッド１２をペン先方向から鉄心収容部前部６１に結合させる。
【００３２】
図１と図３を参照し、さらに好ましい実施形態として、前記ペン芯ホルダーリンクロッド３には段差３１が設けられている。
【００３３】
本発明のペン芯ホルダーリンクロッド３は、一端がペン芯１を挟持し、他端が段差を有する一本の細長いプラスチックロングロッドである。ペン芯１が力を受けた時、ペン芯ホルダーリンクロッド３はリンクロッド機能を有し、そのリンクロッドの末端には段差３１があり、第二鉄心４の中央を通って、段差３１により第三鉄心５を押し進めることが可能である。
【００３４】
図７と図８を参照し、さらに好ましい実施形態として、前記圧力調節板９の第一構造６２との接触面が第一斜面９３であり、前記第一構造６２の圧力調節板９との接触面が第二斜面６２１である。
【００３５】
第一斜面９３と第二斜面６２１は何れも、電磁インクペンのペン芯軸方向と垂直でも平行でもない。第一斜面９３と第二斜面６２１の傾斜角度と傾斜方式（例えば左へ傾斜、右へ傾斜など）は何れも実際の需要によって柔軟に選択できる。
【００３６】
圧力調節板９と第一構造６２の接触面は全て斜面構造を採用することで、圧力調節板９は、回転する時に第一構造６２との接触が斜面による接触であるため、斜面に沿って上昇或いは降下して、さらには弾性部材を収容する空間を変えて、弾性部材を軸方向に沿って移動させる。こうして、ペンで書き込みする時の重量感を変えることができる。
【００３７】
図３を参照し、さらに好ましい実施形態として、前記弾性部材はシリコーンゴム棒７とシリコーンゴム棒７に外嵌されたばね８とを備え、前記シリコーンゴム棒７は圧力調節板９と固定的に接続されている。
【００３８】
本発明のシリコーンゴム棒７とばね８は、ペン芯１に逆方向の作用力を提供して、ペン芯１で書き込みする時に書き込みの強弱感を得るようにするための部材である。具体的に、シリコーンゴム棒７のある長さの一部分は、圧力調節板９の中に固定でき、シリコーンゴム棒７の外にはばね８が外嵌されており、ペン芯１が力を受けた時、シリコーンゴム棒７とばね８が鉄心収容部の後部（即ち第一構造）６２の方向へ力を作用することで、逆方向の作用力を得る。一方、シリコーンゴム棒７又はばね８の圧力調節板９との接触面は平面とすることが可能である。
【００３９】
図６を参照し、さらに好ましい実施形態として、前記圧力調節板９には前記シリコーンゴム棒７と互いに嵌合される穴９２が設けられている。
【００４０】
穴９２は円柱穴、不規則な穴などの構造の止まり穴としてもよく、その内径がシリコーンゴム棒７よりやや大きく、シリコーンゴム棒７はこの穴に挿入されることで固定機能を実現することが可能である。
【００４１】
図３又は図４を参照し、さらに好ましい実施形態として、前記圧力調節板９には回転ハンドル９１が設けられている。
【００４２】
本発明によれば、増設された回転ハンドル９１により圧力調節板９をより回転しやすくする。回転ハンドル９１は鉄心収容部の外面から部分的に露出することが可能である。
【００４３】
さらに好ましい実施形態として、前記第二鉄心の外径が第三鉄心の外径より小さい。
【００４４】
本発明の巻線のない第三鉄心の外径は、巻線のある第二鉄心よりも大きい。第二鉄心に近い端部において、第三鉄心の外径が小さくなっており、ペン全体としての外観が巻線のない第三鉄心が内部にあることで唐突になることはなく、全体としての外観の一致性が比較的良い。
【００４５】
さらに好ましい実施形態として、前記第二鉄心の中央には第一貫通穴が開けられ、前記第三鉄心の中央には第二貫通穴が開けられており、前記第一貫通穴の直径が第二貫通穴の直径より大きい。
【００４６】
本発明の第二鉄心の第一貫通穴が第三鉄心の第二貫通穴より直径が大きいことにより、ペン芯がペン芯ホルダーリンクロッド末端の段差で第三鉄心を押し進めるようにできる。
【００４７】
図３又は図４を参照し、さらに好ましい実施形態として、前記鉄心収容部の外にはさらにＰＣＢＡ電子回路基板１０が設けられている。
【００４８】
ＰＣＢＡ電子回路基板１０はコイルと電気的に接続されて、変化するインダクタンスを周波数の変化に変換して、さらには、アンテナ板が異なるペン周波数を得られるようにして、異なる筆圧値を発生させる。図３又は図４に示すように、具体的に、ＰＣＢＡ電子回路基板１０は鉄心収容部の後方にあり、ねじ１１などの方式で鉄心収容部と固定的に接続することが可能である。
【００４９】
図３又は図４を参照し、さらに好ましい実施形態として、前記ＰＣＢＡ電子回路基板１０はねじ１１により鉄心収容部と接続されている。
【００５０】
本発明のパッシブ電磁インクペンの動作原理は以下になる：ペン芯のペン先が書き込みにより力を受けた時に、ペン芯が第一鉄心の中央を通ってペン芯ホルダーリンクロッドの一端に挟持されて、ペン芯ホルダーリンクロッドの他端（ロングロッド）が第二鉄心の中央を通って、段差により第三鉄心を押し進めることにより、第二鉄心と第三鉄心の間に異なる距離を形成して、第二鉄心コイルのインダクタンス値を変化させ、第二鉄心の変化するインダクタンスと第一鉄心コイルのインダクタンスはＰＣＢＡ電子回路基板上の固定コンデンサーと並列接続されて、さらにペンが発射する周波数を変化させて、異なる筆圧値の変化を発生させるとともに、第三鉄心の軸方向に沿った移動は、シリコーンゴム棒とばねなどによって構成された弾性部材を押し付けて、ペン芯に逆方向の作用力を与えて、ペン芯で書き込みする時に重量感があるようにする。また、本発明によれば、圧力調節板及び前記圧力調節板と互いに嵌合される第一構造を増設しており、パッシブ電磁インクペンの出荷時の実際の寸法を標準寸法と等しくする或いは異なる書き込み重量感を得ようとする場合、圧力調節板の回転ハンドルを回して、圧力調節板が第一構造の表面との接触方式の変更（接触する斜面が上昇又は降下する）により軸方向の変位をするようにするだけで済む。圧力調節板に軸方向の変位が生じることで、シリコーンゴム棒とばねを収容する空間が変化して、シリコーンゴム棒とばねにも対応の軸方向変位を発生させる（パッシブ電磁インクペンの出荷時の実際の寸法を標準寸法と等しくする或いは異なる書き込み重量感を得ることが可能である）。
【００５１】
以上では、本発明の好ましい実施形態について具体的に説明したが、本発明は前記実施例に限定されるものではない。当業者であれば、本発明の精神に反することなく、本願の特許請求の範囲に定義された範囲内に含まれる様な等価な変形又は置換を行うこともできる。
【図１】
2021530064.tif 000003
【図２】
2021530064.tif 000004
【図３】
2021530064.tif 000005
【図４】
2021530064.tif 000006
【図５】
2021530064.tif 000007
【図６】
2021530064.tif 000008
【図７】
2021530064.tif 000009
【図８】
2021530064.tif 000010
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
ペン芯と、ペン本体とを備え、前記ペン本体は第一鉄心と、鉄心収容部とを備え、前記鉄心収容部には前から後ろへ順にペン芯ホルダーリンクロッドと、第二鉄心と、第三鉄心と、弾性部材と、圧力調節板と、前記圧力調節板と互いに嵌合される第一構造とが設けられており、前記第一鉄心の外及び前記第二鉄心の外には何れもコイルが巻かれており、前記第一鉄心が前記ペン芯のペン先側に近く、前記第二鉄心が前記鉄心収容部と固定的に接続され、前記ペン芯が前記第一鉄心の中央を通って前記ペン芯ホルダーリンクロッドの一端により挟持され、前記ペン芯ホルダーリンクロッドの他端が前記第二鉄心の中央を通ってさらに前記第三鉄心を押し進めるように設けられ、前記圧力調節板は、回転する時に表面と前記第一構造の表面との接触により前記圧力調節板に軸方向の変位を発生させることで、前記弾性部材の軸方向変位を変え、前記ペン芯ホルダーリンクロッドには段差が設けられていることを特徴とするパッシブ電磁インクペン。
【請求項２】
前記圧力調節板の前記第一構造との接触面が第一斜面であり、前記第一構造の前記圧力調節板との接触面が第二斜面であることを特徴とする請求項１に記載のパッシブ電磁インクペン。
【請求項３】
前記弾性部材はシリコーンゴム棒と前記シリコーンゴム棒に外嵌されたばねとを備え、前記シリコーンゴム棒は前記圧力調節板と固定的に接続されていることを特徴とする請求項１に記載のパッシブ電磁インクペン。
【請求項４】
前記圧力調節板には前記シリコーンゴム棒と互いに嵌合される穴が設けられていることを特徴とする請求項３に記載のパッシブ電磁インクペン。
【請求項５】
前記圧力調節板には回転ハンドルが設けられていることを特徴とする請求項１〜４の何れか一項に記載のパッシブ電磁インクペン。
【請求項６】
前記第二鉄心の外径が前記第三鉄心の外径より小さいことを特徴とする請求項１〜４の何れか一項に記載のパッシブ電磁インクペン。
【請求項７】
前記第二鉄心の中央には第一貫通穴が開けられ、前記第三鉄心の中央には第二貫通穴が開けられており、前記第一貫通穴の直径が前記第二貫通穴の直径より大きいことを特徴とする請求項１〜４の何れか一項に記載のパッシブ電磁インクペン。
【請求項８】
前記鉄心収容部の外にはＰＣＢＡ電子回路基板が設けられていることを特徴とする請求項１〜４の何れか一項に記載のパッシブ電磁インクペン。
【請求項９】
前記ＰＣＢＡ電子回路基板はねじにより前記鉄心収容部と接続されていることを特徴とする請求項８に記載のパッシブ電磁インクペン。
【国際調査報告】
2021530064.tif 000011
2021530064.tif 000012
2021530064.tif 000013
2021530064.tif 000014